(57)【要約】 【課題】    住宅の室内全体に冷温風を均等に送風し又は室内の特定箇所を冷暖房する。【解決手段】本発明に係るに住宅内の冷暖房システムは、外周基礎２及び建物内基礎３ａ，３ｂから構成され建物本体を支持する布基礎１のうち、建物内基礎３ａを該建物内基礎及び建物内基礎３ｂと相互に不連続となるように形成するとともに、建物内基礎３ｂを建物内基礎３ａ，３ｂ及び外周基礎２と相互に不連続となるように形成し、一階床下空間４には空調機（室内機）５を設置し、一階各居室の床には、床ガラリとも呼ばれる室内吹出し口７を設けてある。ここで、空調機５は、その空調吹出し口６が一階床下空間４に連通するように設置してあるとともに、室内吹出し口７は、該室内吹出し口を介して一階床下空間４と一階各居室の内部空間、例えば８ａ，８ｂ，８ｃとを連通させるように構成してある。【選択図】  図１
2006317134.tif 000002
【特許請求の範囲】
【請求項１】
建物本体を支持する布基礎のうち、外周基礎を除く建物内基礎を該建物内基礎が相互に不連続となるように又は前記外周基礎と前記建物内基礎とが相互に不連続となるように形成するとともに、空調吹出し口が一階床下空間に連通するように空調機を設置し、該一階床下空間と一階各居室の内部空間とを連通させる室内吹出し口を前記一階各居室の床に設けたことを特徴とする住宅内の冷暖房システム。
【請求項２】
上層階の床を二重床とするとともに間仕切り壁を該二重床の上に立設し、空調吹出し口が前記二重床を構成する上下の床板で挟まれた二重床空間に連通するように空調機を設置し、該二重床空間と上層階各居室の内部空間とを連通させる室内吹出し口を前記上層階各居室の二重床のうち、上段の床板に設けたことを特徴とする住宅内の冷暖房システム。
【請求項３】
上層階床下空間にダクトを配置するとともに該ダクトに空調吹出し口が連通するように空調機を設置し、前記ダクトと上層階各居室の内部空間とを連通させる室内吹出し口を前記上層階各居室の床に設けたことを特徴とする住宅内の冷暖房システム。
【請求項４】
前記上層階各居室のうち、所望の冷暖房領域の直下に前記ダクトを折り返し配置した請求項３記載の住宅内の冷暖房システム。
【請求項５】
前記床を二重床とし、該二重床を構成する上段の床板と下段の床板との間に挟まれた二重床空間を前記上層階床下空間として前記ダクトを配置し、前記室内吹出し口を前記上段の床板に設けた請求項３記載の住宅内の冷暖房システム。
【発明の詳細な説明】
【技術分野】
【０００１】
本発明は、省エネルギーを考慮した住宅内の冷暖房システムに関する。
【背景技術】
【０００２】
省エネルギーの観点で住宅全体の冷暖房負荷を軽減する技術開発がさまざまな視点で行われており、床下空間に蓄熱材を設置したり、床下空間を介して地熱を室内に取り込む技術が多数提案されている。
【０００３】
床下空間に蓄熱材を設置する提案では、太陽エネルギー、エアコン等の温冷熱を蓄熱材に蓄熱させ、これを鉛直ダクトを介して各居室に送り込むようになっており、地熱を利用する提案では、外気を地中熱と熱交換させてから室内に送風するようになっている。
【０００４】
【特許文献１】特開２００４−１９７９７４
【特許文献２】特開２００３−３５４３３
【発明の開示】
【発明が解決しようとする課題】
【０００５】
しかしながら、いずれも一階の床下空間から各居室に熱を送り込むという点にとどまるため、一階ならばともかく、二階では途中の鉛直ダクトを通過する間に熱損失を生じ、二階においては十分な冷暖房効果を得ることが困難であるという問題や、一階の床下空間は、現実には布基礎が縦横に立設されているため、それに遮断されて空気が流通せず、冷温風を一階の床下空間に均等に送風することも難しいという問題を生じており、上述した従来技術では、いずれにしろ住宅の室内全体に冷温風を均等に送ったり、室内の特定箇所を冷暖房したりすることは到底困難であって居住快適性に欠けるという問題を生じた。
【課題を解決するための手段】
【０００６】
本発明は、上述した事情を考慮してなされたもので、住宅の室内全体に冷温風を均等に送風し又は室内の特定箇所を冷暖房することが可能な住宅内の冷暖房システムを提供することを目的とする。
【０００７】
上記目的を達成するため、本発明に係る住宅内の冷暖房システムは請求項１に記載したように、建物本体を支持する布基礎のうち、外周基礎を除く建物内基礎を該建物内基礎が相互に不連続となるように又は前記外周基礎と前記建物内基礎とが相互に不連続となるように形成するとともに、空調吹出し口が一階床下空間に連通するように空調機を設置し、該一階床下空間と一階各居室の内部空間とを連通させる室内吹出し口を前記一階各居室の床に設けたものである。
【０００８】
また、本発明に係る住宅内の冷暖房システムは請求項２に記載したように、上層階の床を二重床とするとともに間仕切り壁を該二重床の上に立設し、空調吹出し口が前記二重床を構成する上下の床板で挟まれた二重床空間に連通するように空調機を設置し、該二重床空間と上層階各居室の内部空間とを連通させる室内吹出し口を前記上層階各居室の二重床のうち、上段の床板に設けたものである。
【０００９】
また、本発明に係る住宅内の冷暖房システムは請求項３に記載したように、上層階床下空間にダクトを配置するとともに該ダクトに空調吹出し口が連通するように空調機を設置し、前記ダクトと上層階各居室の内部空間とを連通させる室内吹出し口を前記上層階各居室の床に設けたものである。
【００１０】
また、本発明に係る住宅内の冷暖房システムは、前記上層階各居室のうち、所望の冷暖房領域の直下に前記ダクトを折り返し配置したものである。
【００１１】
また、本発明に係る住宅内の冷暖房システムは、前記床を二重床とし、該二重床を構成する上段の床板と下段の床板との間に挟まれた二重床空間を前記上層階床下空間として前記ダクトを配置し、前記室内吹出し口を前記上段の床板に設けたものである。
【００１２】
請求項１に係る住宅内の冷暖房システムにおいては、外周基礎及び建物内基礎とからなる布基礎のうち、建物内基礎を該建物内基礎が相互に不連続となるように、又は外周基礎と建物内基礎とが相互に不連続となるように形成してある。
【００１３】
このようにすると、布基礎が不連続となった箇所が通風開口となって一階床下空間が全体として一体化し、かくして一階床下空間における空気の流動性が大幅に改善される。
【００１４】
そして、かかる状態で空調機を作動させれば、該空調機の空調吹出し口から吹き出された冷温風は、一階床下空間をくまなく流動し、一階各居室の床に設けられた室内吹出し口から冷温風が吹き出す。加えて、床を介した間接的な冷暖房も行われる。
【００１５】
したがって、一階各居室を均等に冷暖房することが可能となる。
【００１６】
請求項２に係る住宅内の冷暖房システムにおいては、上層階の床を二重床とするとともに間仕切り壁を該二重床の上に立設してある。
【００１７】
このようにすると、耐力壁が設けられた箇所を除いては互いに隣接する居室の床下を空気が自由に流動する。すなわち、上層階の二重床空間は、居室単位ではなく上層階全体として一体化し、かくして二重床空間における空気の流動性が大幅に改善される。
【００１８】
そして、かかる状態で空調機を作動させれば、該空調機の空調吹出し口から吹き出された冷温風は、二重床空間をくまなく流動し、上層階各居室の二重床のうち、上段の床板に設けられた室内吹出し口から冷温風が吹き出す。加えて、上段の床板を介した間接的な冷暖房も行われる。
【００１９】
したがって、上層階各居室を均等に冷暖房することが可能となる。
【００２０】
請求項３に係る住宅内の冷暖房システムにおいては、上層階床下空間にダクトを配置するとともに該ダクトに空調吹出し口が連通するように空調機を設置し、前記ダクトと上層階各居室の内部空間とを連通させる室内吹出し口を前記上層階各居室の床に設けてある。
【００２１】
このようにすると、ダクトを介して上層階床下空間が全体として一体化し、かくして上層階の床下空間における空気の流動性が大幅に改善される。
【００２２】
そして、かかる状態で空調機を作動させれば、該空調機の空調吹出し口から吹き出された冷温風は、ダクトを介して上層階の床下空間をくまなく流動し、上層階各居室の床に設けられた室内吹出し口から冷温風が吹き出す。加えて、床を介した間接的な冷暖房も行われる。
【００２３】
したがって、上層階各居室を均等に冷暖房することが可能となる。
【００２４】
上層階とは、二階、三階といった一階を除く任意の地上階をいうものとする。
【００２５】
ここで、ダクトをどのように配置するかは任意であるが、上層階各居室のうち、所望の冷暖房領域の直下に折り返し配置するようにすれば、床を介した間接的な冷暖房をより確実に行うことが可能となる。
【発明を実施するための最良の形態】
【００２６】
以下、本発明に係る住宅内の冷暖房システムの実施の形態について、添付図面を参照して説明する。なお、従来技術と実質的に同一の部品等については同一の符号を付してその説明を省略する。
【００２７】
（第１実施形態）
【００２８】
図１は、本実施形態に係る住宅内の冷暖房システムを示した図であり、(a)は一階基礎伏図、(b)はＡ−Ａ線に沿う断面図である。同図でわかるように、本実施形態に係る住宅内の冷暖房システムは、外周基礎２及び建物内基礎３ａ，３ｂから構成され建物本体を支持する布基礎１のうち、建物内基礎３ａを該建物内基礎及び建物内基礎３ｂと相互に不連続となるように形成するとともに、建物内基礎３ｂを建物内基礎３ａ，３ｂ及び外周基礎２と相互に不連続となるように形成し、一階床下空間４には空調機（室内機）５を設置し、一階各居室の床には、床ガラリとも呼ばれる室内吹出し口７を設けてある。
【００２９】
ここで、空調機５は、その空調吹出し口６が一階床下空間４に連通するように設置してあるとともに、室内吹出し口７は、該室内吹出し口を介して一階床下空間４と一階各居室の内部空間、例えば８ａ，８ｂ，８ｃとを連通させるように構成してある。
【００３０】
空調機５の室外機（図示せず）については適宜屋外に設置すればよい。
【００３１】
本実施形態に係る住宅内の冷暖房システムにおいては、上述したように建物内基礎３ａを該建物内基礎及び建物内基礎３ｂと相互に不連続となるように形成するとともに、建物内基礎３ｂを建物内基礎３ａ，３ｂ及び外周基礎２と相互に不連続となるように形成してある。
【００３２】
このようにすると、図１(a)でよくわかるように、布基礎１が不連続となった箇所が通風開口となって一階床下空間４が全体として一体化する。
【００３３】
そして、住宅内の各居室を冷暖房したいときは、空調機５を作動させる。
【００３４】
すると、空調機５の空調吹出し口６から吹き出された冷温風は、一階床下空間４をくまなく流動し、一階各居室の床に設けられた室内吹出し口７から冷温風が吹き出す。加えて、床を介した間接的な冷暖房も行われる。
【００３５】
以上説明したように、本実施形態に係る住宅内の冷暖房システムによれば、布基礎１が不連続となった箇所が通風開口となって一階床下空間４が全体として一体化し、かくして一階床下空間４における空気の流動性が大幅に改善される。
【００３６】
そして、かかる状態で空調機５を作動させれば、該空調機の空調吹出し口６から吹き出された冷温風は、一階床下空間４をくまなく流動し、一階各居室の床に設けられた室内吹出し口７から冷温風が吹き出す。加えて、床を介した間接的な冷暖房も行われる。
【００３７】
したがって、一階各居室を均等に冷暖房することが可能となる。
【００３８】
（第２実施形態）
【００３９】
次に、第２実施形態について説明する。なお、第１実施形態と実質的に同一の部品等については同一の符号を付してその説明を省略する。
【００４０】
図２は、本実施形態に係る住宅内の冷暖房システムを示した図であり、(a)は二階における二重床内での水平断面図、(b)はＢ−Ｂ線に沿う断面図である。同図でわかるように、本実施形態に係る住宅内の冷暖房システムは、上層階である二階の床を二重床１１とするとともに間仕切り壁１２を該二重床の上に立設し、二重床１１には空調機１５を設置し、二重床１１の上段の床板１２ａには室内吹出し口７を設けてある。
【００４１】
ここで、空調機１５は、その空調吹出し口１６が二重床１１を構成する上下の床板１２ａ，１２ｂで挟まれた二重床空間１３に連通するように設置してあるとともに、室内吹出し口７は、該室内吹出し口を介して二重床空間１３と二階各居室の内部空間、例えば同図(b)に示す居室の内部空間１８ａ，１８ｂ，１８ｃとを連通させるように構成してある。
【００４２】
二重床１１は例えば、梁（図示せず）の上に構造用合板を貼り、その上に１２ｃｍ程度の束を立ててその上にさらに構造用合板を貼って床仕上げをして構成することが可能であり、本実施形態では、１２ｃｍの高さ空間が通風空間になる。
【００４３】
空調機１５の室外機（図示せず）については適宜屋外に設置すればよい。
【００４４】
なお、同図ハッチングで示された箇所は、耐力壁１７である。
【００４５】
本実施形態に係る住宅内の冷暖房システムにおいては、上層階の床を二重床１１とするとともに間仕切り壁１２を該二重床の上に立設してある。
【００４６】
このようにすると、図２(a)でよくわかるように、耐力壁１７が設けられた箇所を除いては二重床空間１３を空気が自由に流動する。すなわち、二階の二重床空間１３は、居室単位ではなく上層階全体として一体化する。
【００４７】
そして、住宅内の各居室を冷暖房したいときは、空調機１５を作動させる。
【００４８】
すると、空調機１５の空調吹出し口１６から吹き出された冷温風は、二重床空間１３をくまなく流動し、二階各居室の二重床１１のうち、上段の床板１２ａに設けられた室内吹出し口７から冷温風が吹き出す。加えて、上段の床板１２ａを介した間接的な冷暖房も行われる。
【００４９】
以上説明したように、本実施形態に係る住宅内の冷暖房システムによれば、二重床空間１３が全体として一体化し、かくして二重床空間１３における空気の流動性が大幅に改善される。
【００５０】
そして、かかる状態で空調機１５を作動させれば、該空調機の空調吹出し口１６から吹き出された冷温風は、二重床空間１３をくまなく流動し、二階各居室の床に設けられた室内吹出し口７から冷温風が吹き出す。加えて、上段の床板１２ａを介した間接的な冷暖房も行われる。
【００５１】
したがって、二階各居室を均等に冷暖房することが可能となる。
【００５２】
（第３実施形態）
【００５３】
次に、第３実施形態について説明する。なお、第１実施形態と実質的に同一の部品等については同一の符号を付してその説明を省略する。
【００５４】
図３は、本実施形態に係る住宅内の冷暖房システムを示した図であり、(a)は二階における二重床内での水平断面図、(b)はＣ−Ｃ線に沿う断面図である。同図でわかるように、本実施形態に係る住宅内の冷暖房システムは、上層階である二階の床を二重床１１とするとともに間仕切り壁１２を該二重床の上に立設し、二重床１１には空調機１５を設置し、二重床１１の上段の床板１２ａには室内吹出し口７を設けてある。
【００５５】
二重床１１を構成する上下の床板１２ａ，１２ｂで挟まれた上層階床下空間としての二重床空間１３にはダクト３１ａ，３１ｂ，３１ｃを配置してあり、上述した空調機１５は、そのその空調吹出し口１６がダクト３１ａ，３１ｂ，３１ｃに連通するように構成してある。
【００５６】
また、室内吹出し口７は、該室内吹出し口を介してダクト３１ａ，３１ｂ，３１ｃと二階各居室の内部空間１８ａ，１８ｂ，１８ｃとを連通させるように構成してある。
【００５７】
ここで、ダクト３１ａ，３１ｃが室内吹出し口７から冷温風を吹き出すことができるように二重床空間１３に配置してあるのに対し、ダクト３１ｂは、かかる構成に加えて、図１(a)でよくわかるように、複数回折り返して曲折配置してあり、その直上の居室１８ｃを間接的に床暖房できるようになっている。
【００５８】
二重床１１は例えば、梁（図示せず）の上に構造用合板を貼り、その上に１２ｃｍ程度の束を立ててその上にさらに構造用合板を貼って床仕上げをして構成することが可能であり、本実施形態では、１２ｃｍの高さ空間がダクト３１ａ，３１ｂ，３１ｃを配管するスペースになる。
【００５９】
空調機１５の室外機（図示せず）については適宜屋外に設置すればよい。
【００６０】
なお、同図ハッチングで示された箇所は、耐力壁１７である。
【００６１】
本実施形態に係る住宅内の冷暖房システムにおいては、上層階床下空間としての二重床空間１３にダクト３１ａ，３１ｂ，３１ｃを配置するとともに該ダクトに空調吹出し口１６が連通するように空調機１５を設置する一方、ダクト３１ａ，３１ｂ，３１ｃと二階各居室の内部空間、同図(b)で言えば１８ａ，１８ｂ，１８ｃとを連通させる室内吹出し口７を二階各居室の床に設けてある。
【００６２】
このようにすると、図３(a)でよくわかるように、空調機１５がダクト３１ａ，３１ｂ，３１ｃ及び室内吹出し口７を介して二階の各居室と連通する。
【００６３】
そして、住宅内の各居室を冷暖房したいときは、空調機１５を作動させる。
【００６４】
すると、空調機１５の空調吹出し口１６から吹き出された冷温風は、ダクト３１ａ，３１ｂ，３１ｃを介して送風され、二重床１１の上段の床板１２ａに設けられた室内吹出し口７から冷温風が吹き出す。加えて、ダクト３１ｂの直上の居室１８ｃは、該ダクトを介して間接的に床暖房される。
【００６５】
以上説明したように、本実施形態に係る住宅内の冷暖房システムによれば、ダクト３１ａ，３１ｂ，３１ｃを介して空調機１５と二階各居室の内部空間とが確実に連通される。
【００６６】
そして、かかる状態で空調機１５を作動させれば、該空調機の空調吹出し口１６から吹き出された冷温風を、ダクト３１ａ，３１ｂ，３１ｃ及び室内吹出し口７を介して二階各居室に確実に送風することが可能となる。
【００６７】
加えて、ダクト３１ｂを複数回折り返して曲折配置したので、その直上の居室１８ｃを、該ダクトを介して間接的に床暖房することも可能となる。
【００６８】
したがって、二階各居室を均等に冷暖房することが可能となる。
【００６９】
本実施形態では、ダクト３１ａ，３１ｂ，３１ｃを二重床空間１３に配置するようにしたが、これに代えて二階の床板と一階の天井とに挟まれた天井空間を上層階床下空間とし、該上層階床下空間に配置するようにしてもかまわない。
【図面の簡単な説明】
【００７０】
【図１】第１実施形態に係る住宅内の冷暖房システムの概略図。
【図２】第２実施形態に係る住宅内の冷暖房システムの概略図。
【図３】第３実施形態に係る住宅内の冷暖房システムの概略図。
【符号の説明】
【００７１】
１                            布基礎
２                            外周基礎
３ａ，３ｂ                       建物内基礎
４                            一階床下空間
５，１５                        空調機
６，１６                        空調吹出し口
７                            室内吹出し口
１１                           二重床
１２ａ                          二重床を構成する上段の床板
１２ａ                          二重床を構成する下段の床板
１３                           二重床空間
３１ａ，３１ｂ，３１ｃ                ダクト
【図１】
2006317134.tif 000003
【図２】
2006317134.tif 000004
【図３】
2006317134.tif 000005